(57)【要約】【課題】閉鎖対象の傷口の形状への追従性が高く、且つ、剥離時に分断しにくい閉鎖装置を提供すること。【解決手段】皮膚の傷口を閉鎖するための閉鎖装置１００は、軸線方向ｄａとこれに直交する幅方向ｄｂとを有し、傷口を挟んで対向配置される、一対のシート材４１ａ、４１ｂと、一対のシート材４１ａ、４１ｂに架け渡される複数の閉鎖要素２ａ、２ｂと、を備えている。各閉鎖要素２ａ、２ｂは、ベース部１０ａ、１０ｂと、ベース部１０ａ、１０ｂから延出した引き紐部２０ａ、２０ｂと、引き紐部２０ａ、２０ｂと係合する被係合部３１ａ、３１ｂを有する調整部３０ａ、３０ｂと、を有している。一対のシート材４１ａ、４１ｂには、複数の閉鎖要素２ａ、２ｂのうち隣接する２つの閉鎖要素２ａ、２ｂによって挟まれた領域に、軸線方向ｄａから見て複数のスリット５１、５２が設けられている。【選択図】  図２
2019141406.tif 000002
【特許請求の範囲】
【請求項１】
皮膚の傷口を閉鎖するための閉鎖装置であって、
軸線方向とこれに直交する幅方向とを有し、前記傷口を挟んで対向配置される、一対のシート材と、
前記一対のシート材に架け渡される複数の閉鎖要素と、を備え、
各閉鎖要素は、ベース部と、前記ベース部から延出した引き紐部と、前記引き紐部と係合する被係合部を有する調整部と、を有し、
前記一対のシート材には、前記複数の閉鎖要素のうち隣接する２つの閉鎖要素によって挟まれた領域に、前記軸線方向から見て複数のスリットが設けられている、閉鎖装置。
【請求項２】
前記複数のスリットのうち少なくとも１つは、前記一対のシート材の前記軸線方向と交差する方向に延びている、請求項１に記載の閉鎖装置。
【請求項３】
前記複数のスリットのうち、前記一対のシート材の前記軸線方向において隣接する２つのスリットが、Ｖ字の形状を成すように設けられている、請求項２に記載の閉鎖装置。
【請求項４】
前記複数のスリットのうち、前記一対のシート材の前記軸線方向において隣接する２つのスリットが、互いに平行に設けられている、請求項２に記載の閉鎖装置。
【請求項５】
前記複数のスリットは、少なくとも３つのスリットを含み、
前記少なくとも３つのスリットは、前記軸線方向から見て互いに隣接し、当該軸線方向と交差する方向に延在している、請求項２に記載の閉鎖装置。
【請求項６】
前記少なくとも３つのスリットのうち互いに隣接する２つは、前記一対のシート材の前記幅方向の位置が互いに異なる、請求項５に記載の閉鎖装置。
【請求項７】
前記Ｖ字の形状は、前記傷口の側に向かって閉じている、請求項３に記載の閉鎖装置。
【請求項８】
前記Ｖ字の形状は、前記傷口の側に向かって開いている、請求項３に記載の閉鎖装置。
【請求項９】
各閉鎖要素は、
ベース部と、
前記ベース部から延出した引き紐部と、
前記引き紐部と係合する被係合部を有する調整部と、を有する、請求項１〜８のいずれか一項に記載の閉鎖装置。
【請求項１０】
前記複数の閉鎖要素は、２つで１つの閉鎖ユニットを構成し、
各閉鎖ユニットにおいて、
一方の閉鎖要素の前記ベース部と他方の閉鎖要素の前記調整部とが、前記一対のシート材のうちの一方に配置されており、
前記一方の閉鎖要素の前記調整部と前記他方の閉鎖要素の前記ベース部とが、前記一対のシート材のうちの他方に配置されている、請求項９に記載の閉鎖装置。
【発明の詳細な説明】
【技術分野】
【０００１】
本発明は、皮膚の傷口（切開創）を閉鎖するための閉鎖装置に関する。
【背景技術】
【０００２】
従来、皮膚の傷口を閉鎖（創閉鎖）するための閉鎖装置として、例えば特許文献１に記載された閉鎖装置が知られている。この閉鎖装置は、皮膚に設置されるベース部と、ベース部から一体的に延び出た引き紐部と、皮膚に設置され、引き紐部に係合する被係合部（ラチェット機構）を有する調整部と、を有している。引き紐部は、外面に凹凸が形成されており、この凹凸によって、引き紐部が被係合部に対して一方向（ベース部と被係合部とが近接する方向）にのみ相対移動可能となっている。そして、閉鎖対象の傷口を挟んでベース部と調整部とを皮膚に設置（例えば貼付）した状態で、調整部に対して引き紐部を相対移動させることにより、傷口が閉鎖される。前述の通り、引き紐部は調整部に対して一方向にのみ相対移動可能であるため、ひとたび引き紐部が調整部に対して引っ張られて傷口が閉鎖されると、この閉鎖状態が維持される。このような閉鎖装置は、初期状態において、複数並列に連結されており、閉鎖対象の傷口の寸法に応じた長さにカットされて使用される。
【０００３】
具体的には、従来の閉鎖装置では、引き紐部を含むベース部とこれに対向する調整部とを含む閉鎖要素が２つ１組にて１つの閉鎖ユニットを構成している。この閉鎖ユニットがシート材の軸線方向に複数配置されることにより、閉鎖装置が構成されているのである。そして、互いに隣接する２つの閉鎖ユニットによって挟まれる領域には、シート材の幅方向に延びる単一のミシン目が設けられている。このミシン目の存在によって、閉鎖対象の傷口の長さに応じてシート材を容易にカットすることができる。
【０００４】
ところで、閉鎖対象の傷口が湾曲している場合、シート材を傷口に沿わせて湾曲させながら貼付することが望ましい。この場合、従来の閉鎖装置では、ミシン目において不所望に閉鎖装置が分断してしまう場合があった。したがって、閉鎖装置を傷口に沿わせて貼付することが困難であった。また、閉鎖装置を肘や膝などの関節付近に貼付した場合には、関節を屈伸させた際に、ミシン目において不所望に閉鎖装置が分断してしまう場合があった。もちろん、ミシン目を切れにくく構成することも考えられるが、この場合、肘や膝を屈伸させた際の抵抗感（つっぱり感）が強く、快適性に劣る。更に、傷口が治癒した後で閉鎖装置を患部から剥離する際に、やはりミシン目において分断しやすく、迅速な剥離を行い難かった。
【先行技術文献】
【特許文献】
【０００５】
【特許文献１】特表２０１６−５２７９５８号公報
【発明の概要】
【発明が解決しようとする課題】
【０００６】
本発明は、以上の問題に鑑みて創案されたものである。すなわち、本発明の目的は、閉鎖対象の傷口の形状への追従性が高く、且つ、剥離時に分断しにくい（切れにくい）閉鎖装置を提供することである。
【課題を解決するための手段】
【０００７】
本発明は、皮膚の傷口を閉鎖するための閉鎖装置であって、
軸線方向とこれに直交する幅方向とを有し、前記傷口を挟んで対向配置される、一対のシート材と、
前記一対のシート材に架け渡される複数の閉鎖要素と、を備え、
各閉鎖要素は、ベース部と、前記ベース部から延出した引き紐部と、前記引き紐部と係合する被係合部を有する調整部と、を有し、
前記一対のシート材には、前記複数の閉鎖要素のうち隣接する２つの閉鎖要素によって挟まれた領域に、前記軸線方向から見て複数のスリットが設けられている。
【０００８】
以上の閉鎖装置において、前記複数のスリットのうち少なくとも１つは、前記一対のシート材の前記軸線方向と交差する方向に延びていて良い。
【０００９】
前記複数のスリットのうち、前記一対のシート材の前記軸線方向において隣接する２つのスリットが、Ｖ字の形状を成すように設けられていて良い。
【００１０】
あるいは、前記複数のスリットのうち、前記一対のシート材の前記軸線方向において隣接する２つのスリットが、互いに平行に設けられていて良い。
【００１１】
前記複数のスリットは、少なくとも３つのスリットを含み、
前記少なくとも３つのスリットは、前記軸線方向から見て互いに隣接し、当該軸線方向と交差する方向に延在していて良い。
【００１２】
前記少なくとも３つのスリットのうち互いに隣接する２つは、前記一対のシート材の前記幅方向の位置が互いに異なっていて良い。
【００１３】
また、前記Ｖ字の形状は、前記傷口の側に向かって閉じていて良い。
【００１４】
あるいは、前記Ｖ字の形状は、前記傷口の側に向かって開いていても良い。
【００１５】
以上の閉鎖装置において、各閉鎖要素は、
ベース部と、
前記ベース部から延出した引き紐部と、
前記引き紐部と係合する被係合部を有する調整部と、を有していて良い。
【００１６】
前記複数の閉鎖要素は、２つで１つの閉鎖ユニットを構成し、
各閉鎖ユニットにおいて、
一方の閉鎖要素の前記ベース部と他方の閉鎖要素の前記調整部とが、前記一対のシート材のうちの一方に配置されており、
前記一方の閉鎖要素の前記調整部と前記他方の閉鎖要素の前記ベース部とが、前記一対のシート材のうちの他方に配置されていて良い。
【発明の効果】
【００１７】
本発明によれば、閉鎖対象の傷口の形状への追従性が高く、且つ、剥離時に分断しにくい閉鎖装置を提供することができる。
【図面の簡単な説明】
【００１８】
【図１】本発明の一実施の形態による閉鎖装置を示す概略斜視図である。
【図２】図１の閉鎖装置の概略平面図である。
【図３】図１の閉鎖装置の概略側面図である。
【図４】図１の２つの閉鎖要素のうち、第１シート材の上に配置されている構成要素を示す、概略上面図である。
【図５】図４の構成要素の概略正面図である。
【図６】図４のＶＩ−ＶＩ線断面図である。
【図７】図１の第１の変形例による閉鎖装置のスリットのパターンを表す概略平面図である。
【図８】図１の第２の変形例による閉鎖装置のスリットのパターンを表す概略平面図である。
【図９】図１の第３の変形例による閉鎖装置のスリットのパターンを表す概略平面図である。
【図１０】各閉鎖装置の貼付時の追従性及び剥離時の切れにくさに関する評価結果を一覧で示す図表である。
【発明を実施するための形態】
【００１９】
（実施形態）
以下に、添付の図面を参照して、本発明の一実施の形態を詳細に説明する。
【００２０】
図１は、本発明の一実施の形態による閉鎖装置１００を示す概略斜視図である。また、図２は、図１の閉鎖装置１００の概略平面図であり、図３は、図１の閉鎖装置１００の概略側面図である。
【００２１】
本実施の形態による閉鎖装置１００は、樹脂製であり、手術時に形成された皮膚の切開創などの傷口を閉鎖（創閉鎖）するためのものである。この閉鎖装置１００は、第１閉鎖要素２ａ及び第２閉鎖要素２ｂと、これら２つの閉鎖要素２ａ、２ｂを一体的に配置するための第１シート材４１ａ及び第２シート材４１ｂと、を備えている。本実施の形態では、第１シート材４１ａ及び第２シート材４１ｂは、サージカルテープである。図１及び図２に示すように、各シート材４１ａ、４１ｂは、共通の軸線方向ｄａを有している。更に、各シート材４１ａ、４１ｂは、軸線方向ｄａに直交する幅方向ｄｂを有している。
【００２２】
第１閉鎖要素２ａは、第１ベース部１０ａと、この第１ベース部１０ａから一体的に延出した第１引き紐部２０ａと、第１引き紐部２０ａと係合可能な形状の第１被係合部３１ａを有する第１調整部３０ａと、を有している。第２閉鎖要素２ｂは、第２ベース部１０ｂと、この第２ベース部１０ｂから一体的に延出した第２引き紐部２０ｂと、第２引き紐部２０ｂと係合可能な形状の第２被係合部３１ｂを有する第２調整部３０ｂと、を有している。
【００２３】
そして、第１閉鎖要素２ａの第１ベース部１０ａと、第２閉鎖要素２ｂの第２調整部３０ｂとは、第１シート材４１ａの上に一体的に配置されており、第１閉鎖要素２ａの調整部３０ａと、第２閉鎖要素２ｂのベース部１０ｂとは、第２シート材４１ｂの上に一体的に配置されている。このように、本実施の形態では、２つの閉鎖要素２ａ、２ｂが１つの閉鎖ユニット１０１を構成し、この閉鎖ユニット１０１が各シート材４１ａ、４１ｂの軸線方向ｄａに複数配置されている。
【００２４】
図１及び図２に示すように、本実施の形態の第１閉鎖要素２ａ及び第２閉鎖要素２ｂは、互いに同一の構成を有している。このため、以下の説明において、各閉鎖要素２ａ、２ｂを特に区別しない場合には、当該閉鎖要素を符号２によって纏めて（ａ及びｂの記号を付さずに）示すこととする。また、各閉鎖要素２ａ、２ｂの構成要素についても、第１閉鎖要素２ａの構成要素と第２閉鎖要素２ｂの構成要素とを区別する場合には、符号の末尾に「ａ」（第１閉鎖要素に対応）または「ｂ」（第２閉鎖要素に対応）の記号を付すが、特に区別しない場合には、これらの記号を付さずに数字のみで示すこととする。
【００２５】
図４は、閉鎖要素２ａ、２ｂのうち、第１シート材４１ａの上に配置されている構成要素を示す、概略上面図である。また、図５は、図４の構成要素の概略正面図であり、図６は、図４のＶＩ−ＶＩ線断面図である。
【００２６】
図４乃至図６に示すように、ベース部１０は、上方から見て、四隅が丸められた略矩形の形状であり、皮膚側の面（図４における奥側の面、図５及び図６における下面）に当該ベース部１０をシート材４１に接着するための接着部（不図示）が設けられている。
【００２７】
ベース部１０からは、当該ベース部１０と一体的に形成された引き紐部２０が延び出ており、その先端にはツマミ部２１が形成されている。引き紐部２０は、両側部に、当該引き紐部２０の引張方向に対して鈍角を成す方向に突出した複数の係合部２２を有している。これらの係合部２２は、後述される被係合部３１と係合することにより、ベース部１０に対する調整部３０の相対位置を規定するようになっている。更に、引き紐部２０は、その引張方向に対して直交する方向に突出したストッパ部２３と、当該引き紐部２０の上面に形成され、ベース部１０に向かう方向に所定の長さを有する隆起部２４と、を有している。図４に示すように、ストッパ部２３と隆起部２４とは、一体的に形成されている。
【００２８】
次に、調整部３０は、ベース部１０と略同様の寸法を有する略矩形の平板３２を有している。この平板３２の皮膚側の面（図４における奥側の面、図５及び図６における下面）には、ベース部１０と同様に接着部（不図示）が設けられている。被係合部３１は、平板３２の上面に設けられている。図４に示すように、この被係合部３１は、引き紐部２０を挟み込む一対の壁部３３、３４を有している。そして、一対の壁部３３、３４は、互いに対向する面のそれぞれに、引き紐部２０の係合部２２と係合可能な係合爪３６、３７が形成されている。
【００２９】
一対の壁部３３、３４の上部（図４における手前側の部位）には、調整部３０に係合する引き紐部２０の引張方向において進んだ位置（図４における下方の位置）に、引き紐部２０を覆う天壁３８、３９が設けられている。この天壁３８、３９と一対の壁部３３、３４とは、それらによって囲まれた空間を引き紐部２０が通過可能であるように配置されている。これらの天壁３８、３９の離間距離ｄは、引き紐部２０の隆起部２４の幅よりも僅かに広いが、ストッパ部２３の幅よりも狭く構成されている。このような構成によって、天壁３８、３９は、引き紐部２０のストッパ部２３と当接することにより、当該調整部３０から引き紐部２０が不所望に抜けることを防止する抜け止め部として、機能するようになっている。
【００３０】
このような閉鎖装置１００は、シート材４１（サージカルテープ）の背面に設けられた接着層に汚れ等が付着しないよう、剥離紙４２によって覆われている。
【００３１】
図１及び図２に戻って、本実施の形態の一対のシート材４１ａ、４１ｂには、隣接する２つの閉鎖要素２ａ、２ｂによって挟まれた領域の少なくとも１つに、軸線方向ｄａから見て複数のスリット５１、５２が設けられている。より具体的には、各シート材４１ａ、４１ｂのうち、隣接する２つの閉鎖ユニット１０１によって挟まれた領域のすべてに軸線方向ｄａから見て複数のスリットの列５１、５２が設けられている。複数のスリットの列５１、５２のそれぞれは、幅方向ｄｂ整列された複数のスリット５１ａ〜５１ｄ及び５２ａ〜５２ｄを含んでいる。なお、他の実施の形態では、スリットの列５１、５２がそれぞれ単一のスリットから構成されていても良い。
【００３２】
本実施の形態の複数のスリットの列５１ａ〜５１ｄ及び５２ａ〜５２ｄは、図２に示すように、参照数字の末尾に同一のアルファベットが付された各２つのスリットは、互いに近位の端部が共にＶ字の頂点に位置するように形成されている。また、図２に示すように、一方のスリットの列５１の各スリット５１ａ〜５１ｄは互いに平行であり、他方のスリットの列５２の各スリット５２ａ〜５２ｄも、互いに平行である。本実施の形態では、各スリット５１ａ〜５１ｄ及び５２ａ〜５２ｄによって形成されるＶ字の形状が閉鎖対象の傷口が配置される側に向かって閉じるように形成されている。
【００３３】
以上のようなＶ字の形状のスリットの存在によって、隣接する２つの閉鎖ユニット１０１が、複数のＶ字の形状の屈曲部５３によって連結されることになる。これらの屈曲部５３は、Ｖ字の形状に配置された各スリット５１ａ〜５１ｄ及び５２ａ〜５２ｄによって区画されるシート材４１ａ、４１ｂの部分である。図１及び図２に示すように、本実施の形態による閉鎖装置1００では、このような屈曲部５３は、隣接する各２つの閉鎖ユニット１０１の間の領域すべてに設けられている。
【００３４】
次に、本実施の形態の閉鎖装置１００の作用について説明する。
【００３５】
まず、閉鎖装置1００は、必要に応じて、閉鎖対象の傷口を閉鎖するために必要十分な寸法（軸線方向ｄａの長さ）となるようにカットされる。このカットは、例えば、隣接する２つの閉鎖ユニット１０１の間にて行われ得る。
【００３６】
閉鎖装置１００は、初期状態では、引き紐部２０のストッパ部２３が調整部３０の天壁３８、３９の縁部に当接すると共に、隆起部２４が天壁３８，３９の間に位置している。このような構成により、引き紐部２０は、調整部３０に対して引張方向とは逆方向に移動することが無いため、当該引き紐部２０が調整部３０から抜け落ちてしまうことが防止される。
【００３７】
次に、シート材４１の裏面を覆う剥離紙４２が剥がされ、シート材４１の裏面に形成された接着部が露出される。そして、第１シート材４１ａと第２シート材４１ｂとが閉鎖対象の傷口を挟んで位置付けられるように、閉鎖装置１００が皮膚上に貼付される。この貼付に先立ち、シート材４１の接着部の皮膚に対する接着性を高めるために、貼付対象の皮膚の表面を予め清浄にし、乾燥させておくことが望ましい。
【００３８】
また、傷口が湾曲している場合には、この傷口をより効果的に閉鎖させるために、第１シート材４１ａ及び第２シート材４１ｂを傷口に沿わせて湾曲させて皮膚上に貼付することが好ましい。上述したように、本実施の形態による閉鎖装置１００は、隣接する２つの閉鎖ユニット１０１の間に複数のＶ字状の屈曲部５３を有している。このため、屈曲部５３を撓み変形させることにより、各閉鎖ユニット１０１が傷口の湾曲形状に追従させられながら、閉鎖装置１００が傷口の湾曲形状に沿って配置される。このとき、屈曲部５３は、Ｖ字の形状を有していることから、比較的大きな撓み変形にも耐えることができる。このため、閉鎖装置１００を傷口の形状に沿わせて配置させる際に、閉鎖装置１００が屈曲部５３において不所望に破断してしまうことが無い。
【００３９】
そして、第１閉鎖要素２ａの第１引き紐部２０ａの第１ツマミ部２１ａと、第２閉鎖要素２ｂの第２引き紐部２０ｂの第２ツマミ部２１ｂと、が同時に引っ張られる。これにより、各引き紐部２０が対応する被係合部３１に対してそれぞれの引張方向に移動するため、傷口の周囲の生体組織には、実質的に均等な力が作用する。この引張の操作によって、ベース部１０と調整部３０とが、近接する。すなわち、第１及び第２シート材４１ａ、４１ｂによって、傷口が閉鎖されるように当該傷口の周囲の生体組織が移動される。この引張操作は、傷口が閉鎖されるために必要かつ十分な力が当該傷口の周囲の生体組織に作用するように行われる。
【００４０】
引き紐部２０が被係合部３１に対して引張方向に移動する際には、当該引き紐部２０の係合部２２の凸部が、係合爪３６、３７を引張方向に撓み変形させながら当該係合爪３６、３７を通過する。その一方、係合爪３６、３７を超えて引張方向に移動した係合部２２を引張方向とは逆方向に移動させようとすると、その凸部が係合爪３６、３７と干渉するため、引き紐部２０の移動が規制される。これは、前述したように係合爪３６、３７が引張方向に向かって湾曲しているため、当該引張方向への湾曲変形は比較的容易である一方で、引張方向とは逆方向への湾曲変形は、事実上不可能であるためである。このようにして、引き紐部４２０は、移動が引張方向にのみ許容されるのである。
【００４１】
このようなツマミ部２１（引き紐部２０）の引張操作が、閉鎖装置１００全体にわたり行われる。これにより、閉鎖対象の傷口が完全に閉鎖される。そして、引き紐部２０のうち引張操作によって係合爪３６、３７を超えて引き出された領域が、適宜の切断工具によって切除される。これにより、閉鎖装置１００による傷口の閉鎖が完了する。
【００４２】
このような閉鎖装置１００は、屈曲部５３の存在によって、傷口を閉鎖した状態において関節の屈伸などにより傷口周辺の生体組織が移動する際に、生体組織への良好な追従性を示す。
【００４３】
そして、この閉鎖状態を一定期間維持することにより、傷口によって分断されていた生体組織が互いに接合し、当該傷口が治癒する。その後、シート材４１が皮膚から除去される。この除去の際に、屈曲部５３が適度に撓み変形することにより、隣接する２つの閉鎖ユニット１０１の間で閉鎖装置１００が不所望に分断してしまうことが回避される。
【００４４】
以上のような本実施の形態によれば、シート材４１のうち、隣接する２つの閉鎖ユニット１０１によって挟まれた領域に軸線方向ｄａから見て複数のスリット５１、５２が設けられている。このことにより、閉鎖対象の傷口の形状への追従性が高く、且つ、剥離時に分断しにくい閉鎖装置１００を提供することができる。
【００４５】
なお、閉鎖ユニット１０１内の２つの閉鎖要素２ａ、２ｂの間に、軸線方向ｄａから見て複数のスリットが設けられていても良い。この場合にも、本実施の形態と同様の作用が提供され得る。
【００４６】
また、複数のスリットの列５１、５２の各スリット５１ａ〜５１ｄ、５２ａ〜５２ｄが、一対のシート材４１ａ、４１ｂの前記軸線方向ｄａと交差する方向に延びている。より具体的には、各スリット５１ａ〜５１ｄ、５２ａ〜５２ｄのうち、軸線方向ｄａにおいて隣接する２つのスリットが、Ｖ字の形状を成すように設けられている。このことにより、隣接する２つの閉鎖ユニット１０１の間に柔軟性のある屈曲部５３が構成されるため、閉鎖対象の傷口の形状への追従性を一層高めることができる。
【００４７】
また、被係合部３１は、引き紐部２０を挟み込む一対の壁部３３、３４を有し、この一対の壁部３３、３４は、互いに対向する面にそれぞれ引き紐部２０の係合部２２と係合可能な係合爪３６、３７を有している。このため、一対の壁部３３、３４の間から引き紐部２０を引き出すことによって、当該引き紐部２０と調整部３０との係合位置を容易に調整することができる。
【００４８】
更に、引き紐部２０は、その引張方向に対して直交する方向に突出したストッパ部２３を有しており、調整部３０の天壁３８、３９がこのストッパ部２３に当接することにより、調整部３０から引き紐部２０が抜けることを防止するようになっている。このため、引き紐部２０が不所望に調整部３０から抜け落ちて創閉鎖の作業性が損なわれてしまうことが、効果的に回避される。
【００４９】
また、隣接する２つの閉鎖要素２ａ、２ｂを閉鎖させるための各引き紐部２０の引張方向が逆方向であることにより、傷口を均等に閉鎖することが容易な閉鎖装置１００を提供することができる。
【００５０】
以上の実施の形態では、各スリット５１ａ〜５１ｄ、５２ａ〜５２ｄが傷口に向かって閉じたＶ字の形状となるようにシート材４１に設けられていたが、このような態様には限定されない。以下に、上述した実施の形態による閉鎖装置１００の変形例において採用が可能なスリットのパターンについて、例示する。なお、スリットのパターン以外の構成は、上述した実施の形態と同じであるため、以下の説明においては、スリットのパターンのみについて説明を行うこととする。
【００５１】
（変形例１）
図７は、第１の変形例による閉鎖装置２００に設けられるスリットの列２５１、２５２を示す概略平面図である。見やすさのため、図７では、シート材２４１及びスリットの列２５１、２５２のみが図示されている。このような図示は、後述する図８及び図９においても同様である。
【００５２】
図７に示すように、本変形例による閉鎖装置２００でも、複数のスリットの列２５１、２５２がＶ字を成すようにシート材２４１に形成されている。しかしながら、当該Ｖ字が上述した閉鎖装置１００とは逆向きになっている。すなわち、図７に示すスリットの列２５１、２５２に含まれる各スリットは、Ｖ字の形状が閉鎖対象の傷口Ａの側に向かって開くように各シート材２４１ａ、２４１ｂに形成されている。このため、本変形例では、隣接する２つの閉鎖ユニット２０１（不図示）の間に、第１の実施の形態とは逆向きの屈曲部２５３が形成されることになる。
【００５３】
（変形例２）
次に、図８は、第２の変形例による閉鎖装置３００に設けられるスリットの列３５１〜３５３を示す概略平面図である。
【００５４】
本変形例では、複数のスリットの列３５１〜３５３が各シート材３４１ａ、３４１ｂの幅方向ｄｂと平行に形成されている点で、上述した実施の形態及び第１の変形例とは異なっている。各スリットの列３５１〜３５３は、シート材３４１の幅方向に形成された複数のスリット（図８における黒の実線部分に対応）を含んでいる。これら複数のスリットは、シート材３４１ａ、３４１ｂの幅方向ｄｂにおいて、両端部を除き互いに同一の長さを有している。
【００５５】
更に、隣接する２つのスリットの列３５１及び３５２は、シート材３４１の幅方向における位相が互いに異なっており、隣接する２つのスリットの列３５２及び３５３も、シート材３４１の幅方向における位相が異なっている。本実施の形態では、スリット３５１とスリット３５２、及び、スリット３５２とスリット３５３は、互いに半波長ずつ位相がずれている。このような構成によって、隣接する２つの閉鎖ユニット３０１の間に、いわゆる網飾り状に延伸可能な可撓部３５４が形成されている。本変形例による閉鎖装置３００を用いて創閉鎖を行う場合、この可撓部３５４が自在に延伸させられることにより、傷口の形状に良好に追従しつつ、閉鎖装置３００が皮膚に貼付されることになる。
【００５６】
（変形例３）
次に、図９は、第３の変形例による閉鎖装置４００に設けられるスリットの列４５１〜４５３を示す概略平面図である。これらのスリット４５１〜４５３は、図８に示す閉鎖装置３００の各スリットを、それぞれ、幅方向ｄｂに沿って約２倍に延長したものである。したがって、閉鎖装置４００において形成される可撓部４５４は、上述した第２の変形例の可撓部３５４よりも目の粗いものとなる。その他の構成は、第３の実施の形態と同様である。
【００５７】
以上の各閉鎖装置１００〜４００について、貼付時及び剥離時の切れにくさに関する評価を行った結果が、図１０に示す図表に一覧で示されている。表中の「◎」、「○」、「△」及び「×」の各記号は、切れにくさの程度を表している。「◎」は余裕をもって切れなかったことを、「○」は「◎」ほどの余裕はないが切れなかったことを、「△」は部分的に切れてしまうスリットの列があったことを、「×」は容易に切れてしまったことを、それぞれ表している。なお、従来品とは、隣接する２つの閉鎖ユニットの間に単一のミシン目の列が幅方向ｄｂに形成された閉鎖装置である。
【００５８】
図１０の図表から理解されるように、従来の閉鎖装置と比較すると、いずれの閉鎖装置１００〜４００も、閉鎖対象の傷口の形状への追従性を有し、且つ、剥離時に分断しにくいという特性を有することが示された。とりわけ、隣接する２つの閉鎖ユニットの間にＶ字の形状となるスリットを有する閉鎖装置１００、２００では、貼付時の追従性及び剥離時の切れにくさが特に良好であった。
【００５９】
なお、いずれの閉鎖装置においても、各スリットが一対のシート材の幅方向の縁部には形成されないことが好ましい。この場合、当該縁部において応力集中が発生することを回避し、貼付時及び／または剥離時において閉鎖装置をより切れにくくすることができる。
【符号の説明】
【００６０】
２ａ  第１閉鎖要素
２ｂ  第２閉鎖要素
１０ａ  第１ベース部
１０ｂ  第２ベース部
２０ａ  第１引き紐部
２０ｂ  第２引き紐部
２１ａ  第１ツマミ部
２１ｂ  第２ツマミ部
２２  係合部
２３  ストッパ部
２４  隆起部
３０ａ  第１調整部
３０ｂ  第２調整部
３１ａ  第１被係合部
３１ｂ  第２被係合部
３２  平板
３３、３４  壁部
３６、３７  係合爪
３８、３９  天壁
４１ａ  第１シート材
４１ｂ  第２シート材
４２  剥離紙
５１、５２  スリットの列
５１ａ〜５１ｄ、５２ａ〜５２ｄ  スリット
５３  屈曲部
１００  閉鎖装置
１０１  閉鎖ユニット
２００  閉鎖装置
２０１  閉鎖ユニット
２４１、２４１ａ、２４１ｂ  シート材
２５１、２５２  スリットの列
２５３  屈曲部
３００  閉鎖装置
３０１  閉鎖ユニット
３４１、３４１ａ、３４１ｂ  シート材
３５１〜３５３  スリットの列
３５４  可撓部
４００  閉鎖装置
４２０  紐部
４５１〜４５３  スリットの列
４５４  可撓部
【図１】
2019141406.tif 000003
【図２】
2019141406.tif 000004
【図３】
2019141406.tif 000005
【図４】
2019141406.tif 000006
【図５】
2019141406.tif 000007
【図６】
2019141406.tif 000008
【図７】
2019141406.tif 000009
【図８】
2019141406.tif 000010
【図９】
2019141406.tif 000011
【図１０】
2019141406.tif 000012